(57)【要約】【課題】低コストで福祉施設にも導入可能であり、誤動作の発生も少なく、要介護者の精神衛生にも良いナースコールシステムを提供する。【解決手段】人体の移動を検出する移動検出センサ３と、ナースコールを作動させるための信号を出力するナースコール端子４と、移動検出センサ３が人体を検出すると、ナースコール端子４に対しナースコールを作動させるための信号を出力させる制御を行う制御回路２ａを有する移動検出装置本体２と、移動検出装置本体２に電気を供給する電源５と、を備えたことを特徴とする。【選択図】        図１
2005301491.tif 000002
【特許請求の範囲】
【請求項１】
人体の移動を検出する移動検出センサと、
ナースコールを作動させるための信号を出力するナースコール端子と、
前記移動検出センサが人体を検出すると、前記ナースコール端子に対しナースコールを作動させるための信号を出力させる制御を行う制御回路を有する移動検出装置本体と、
前記移動検出装置本体に電気を供給する電源と、
を備えたことを特徴とするナースコールシステム。
【請求項２】
前記制御回路は、前記制御を行う場合と、行わない場合とを切り替える切替手段を有する請求項１に記載のナースコールシステム。
【請求項３】
前記切替手段は、前記制御を行う場合と、行わない場合とを時間により切り替えるタイマーである請求項２に記載のナースコールシステム。
【請求項４】
前記移動検出センサは、フレネルレンズ付き赤外線センサであり、
前記フレネルレンズ付き赤外線センサは、前記人体が寝起きするベッドの長手方向の側方近傍に設置されて赤外線の視野領域を形成し、前記ベットから起きて前記ベットの側方に腰掛けた人体が移動し前記視野領域を通過することで検出することを特徴とする請求項１〜３の何れかに記載のナースコールシステム。
【請求項５】
前記フレネルレンズ付き赤外線センサを取り付けるセンサ取付部材を前記ベッドの側壁に設け、
前記センサ取付部材は、前記フレネルレンズ付き赤外線センサの視野領域が前記人体の移動を検出する位置と、前記フレネルレンズ付き赤外線センサが前記ベットの側壁に収装される位置と、の間を可動自在に設けられていることを特徴とする請求項４に記載のナースコールシステム。
【請求項６】
前記フレネルレンズ付き赤外線センサの視野領域は、レンズ視野角２°〜３°の領域である請求項４又は５に記載のナースコールシステム。
【請求項７】
前記ナースコール端子は、ナースコールを作動させるための信号を出力するナースコールボタンと並列に接続していることを特徴とする請求項１〜６の何れかに記載のナースコールシステム。
【発明の詳細な説明】
【技術分野】
【０００１】
本発明は、ナースコールシステムに関するものであり、病院等の医療施設や特養老人ホーム、ケアハウス等の福祉施設、あるいは在宅介護が必要な個人家庭で介護者を呼び出すために用いられるナースコールシステムに関する。
【背景技術】
【０００２】
歩行などの日常生活上の基本的動作を行うことは可能であるが、薬の内服や電話の利用など手段的日常生活動作を行う能力が低下し部分的な介護を必要とする要介護度１以上の高齢者など要介護者がおり、かかる要介護者はベットから起きて移動するときに、転倒するなど事故を起こしやすい。高齢者の転倒は最悪の場合、寝たきりなどにつながる虞があり重要な問題である。そこで、要介護者の移動状況を介護者に知らせ、介護する必要がある。
【０００３】
要介護者の移動状況を介護者に通知する技術としては、例えば、徘徊する高齢者（要介護者）の位置情報を、既にカーナビゲーションに利用されているＧＰＳ（衛生利用測位システム）を用いて得るものが既に実用化されている。
【０００４】
また、独居老人（要介護者）の行動を把握するために、住宅の各部屋に超音波や光、特に赤外線センサを取り付け、センサにより検出したデータをインターネットを介して監視センターに送信する技術も知られている。
【０００５】
更に、マットから離床する要介護者を検出する技術も知られている。かかる離床検知マットは、圧力センサ等のセンサを組み込んだマットである。離床検知マットは、ベットや床に敷くことにより、人体がマットから起きあがった状態、もしくはマットに体重がかかった状態を感知して要介護者の離床を検出する。
【発明の開示】
【発明が解決しようとする課題】
【０００６】
ところで、前述のＧＰＳ（衛生利用測位システム）を用いて位置情報を得たり、移動を検出したデータをインターネットを介して監視センターに送信する従来の技術は、設備に掛かるコストが高いので、個人家庭で採用されることがあっても、多数の要介護者をかかえる福祉施設（病院等の医療施設、特養老人ホーム、ケアハウス等の福祉施設）に導入されていなかった。
【０００７】
そのために、看護師やヘルパー等介護者が２４時間体制で介護する前記福祉施設では、介護者に昼夜を問わず多大な負担が掛かるといった問題があり、また、介護体制が手薄となった深夜（０時〜午前４時）に転倒事故が発生する虞もある。
【０００８】
また、従来の要介護者の移動状況を介護者に通知する技術では、要介護者の行動把握のために設置された超音波、光、あるいは赤外線を検知するセンサが、要介護者以外の小動物にも反応してしまい、誤動作が発生する虞もあった。
【０００９】
更に、要介護者は、事故や誤動作への不安から、精神的にプレシャーを感じて夜間に熟睡できず、精神衛生上良くないといった問題もあった。
【００１０】
本発明は、上記の技術的課題を解決するためになされたもので、その目的とするところは、低コストで福祉施設にも導入可能であり、誤動作の発生も少なく、要介護者の精神衛
生にも良いナースコールシステムを提供することにある。
【課題を解決するための手段】
【００１１】
本発明は、ナースコールシステムであり、前述の技術的課題を解決すべく以下のような構成とされている。
すなわち、本発明にかかるナースコールシステムは、
人体の移動を検出する移動検出センサと、
ナースコールを作動させるための信号を出力するナースコール端子と、
前記移動検出センサが人体を検出すると、前記ナースコール端子に対しナースコールを作動させるための信号を出力させる制御を行う制御回路を有する移動検出装置本体と、
前記移動検出装置本体に電気を供給する電源と、
を備えたことを特徴とする。
【００１２】
本発明は簡単な構成により、移動検出センサが人体を検出しナースコール端子を介してナースコールを自動的に作動させることができる。従って、医療福祉施設が保有するナースコールの全ての機能を改良することなく利用できる。また、移動検出装置のセンサ部分は分離されているため、どのような状況の場合でも、簡便に設置し、利用できる。更に、移動検出センサの取り付け位置を変えることにより、大部屋でも利用できる。更にまた、病院、ケアハウスでの利用も可能である。なお、ナースコールとの接続は有線もしくは無線とする。また、在宅用にはインターネット接続機能を追加してもよい。
【００１３】
また、本発明にかかるナースコールシステムにおいて、前記制御回路は、前記制御を行う場合と、行わない場合とを切り替える切替手段を有する。この前記切替手段は、前記制御を行う場合と、行わない場合とを時間により切り替えるタイマーである構成も例示できる。この例示により、介護者が不足する夜間のみ前記制御回路を作動させることが可能となる。
【００１４】
更に、本発明にかかるナースコールシステムにおいて、前記移動検出センサは、室内が暗くなったときでも感知できるフレネルレンズ付き赤外線センサであり、
前記フレネルレンズ付き赤外線センサは、前記人体が寝起きするベッドの長手方向の側方近傍に設置されて赤外線の視野領域を形成し、前記ベットから起きて前記ベットの側方に腰掛けた人体が移動し前記視野領域を通過することで検出することを特徴とする。なお、前記フレネルレンズ付き赤外線センサの視野領域は、レンズ視野角２°〜３°の領域である構成も例示できる。また、本発明にかかるナースコールシステムにおいて、前記フレネルレンズ付き赤外線センサを取り付けるセンサ取付部材を前記ベッドの側壁に設け、前記センサ取付部材は、前記フレネルレンズ付き赤外線センサの視野領域が前記人体の移動を検出する位置と、前記フレネルレンズ付き赤外線センサが前記ベットの側壁に収装される位置と、の間を可動自在に設けられている構成も例示できる。
【００１５】
更にまた、本発明にかかるナースコールシステムにおいて、前記ナースコール端子は、ナースコールを作動させるための信号を出力するナースコールボタンと並列に接続していることを特徴とする。この構成により、ナースコールボタンを使用できる要介護者の場合、移動検出装置の制御を行わないように切り替えることができる。
【発明の効果】
【００１６】
本発明によれば、医療福祉施設が保有するナースコールの全ての機能を改良することなく利用でき、移動検出センサは分離されているため、どのような状況の場合でも、簡便に設置し、利用できる。従って、本発明によれば、低コストで福祉施設にも導入可能であり、誤動作の発生も少なく、要介護者の精神衛生にも良いナースコールシステムを提供できる。
【発明を実施するための最良の形態】
【００１７】
以下に図面を参照して、この発明を実施するための最良の形態を例示的に詳しく説明する。
本発明に係る最良の形態のナースコールシステムは、図１の装置概略図に示すように、介護を必要とする人体（以下、要介護者という）の移動を検出する移動検出センサ３と、音や光等で報知するナースコールを作動させるための信号を出力するナースコール端子（ナースコール接続用コネクタ）４と、移動検出センサ３が要介護者を検出すると、ナースコール端子４に対しナースコールを作動させるための信号を出力させる制御を行う制御回路（検出用回路）２ａを有する移動検出装置本体２と、移動検出装置本体２に電気を供給する電源５と、を備えている。
【００１８】
移動検出センサ３は、室内が暗くなった消灯後でも室内灯のみでも感知できるフレネルレンズ付き赤外線センサである。このフレネルレンズ付き赤外線センサ３は、室内灯のみでもセンサ本体が作動するように、感度が調整できる。また、フレネルレンズ付き赤外線センサ３は、図２及び図３に示すように、要介護者が寝起きするベッド８の長手方向の側方近傍に設置されて赤外線の視野領域Ｅを形成する。
【００１９】
すなわち、要介護者がベット８に腰掛けた状態でフレネルレンズ付き赤外線センサ３が反応するように、フレネルレンズ付き赤外線センサ３を壁９に設置している。そして、フレネルレンズ付き赤外線センサ３の視野領域Ｅは、レンズ視野角２°〜３°の領域であり、例えば、レンズ視野角２．５°の領域である。
【００２０】
レンズ視野角２．５°の領域の場合、フレネルレンズ付き赤外線センサ３から要介護者の足まで約２ｍであり、この時の視野は２０cm程度である。また、ベット８に要介護者が腰掛けた状態からトイレ１０（図３参照）の入り口までの距離は２ｍ程度である。従って、ベット８から起きてベット８の側方に腰掛けた人体が移動し視野領域Ｅを通過することでフレネルレンズ付き赤外線センサ３が要介護者を検出する。
【００２１】
フレネルレンズ付き赤外線センサ３は、移動検出装置本体２の検出用回路２ａとケーブル１２を介して接続している。
【００２２】
移動検出装置本体２は、外形が箱型に形成され、この箱内に、検出用回路２ａと、検出用回路２ａの制御信号をナースコール接続用コネクタ４に伝送するための中継器（リレー）２ｂと、を収納している。検出用回路２ａは、箱外に設けられた外部電源５と接続している。リレー２ｂは、箱外に設けられたナースコール接続用コネクタ４とケーブル１１を介して接続している。なお、ナースコール７との接続は有線もしくは無線とする。また、リレー２ｂは、ナースコール接続用コネクタ４に接続する配線に並列して設けられた配線を介してナースコール用ボタン接続コネクタ４０と接続している。
【００２３】
ナースコール用ボタン接続コネクタ４０は、図示しないナースコール用ボタンと接続し、ナースコール用ボタンの押圧信号をナースコール接続用コネクタ４を介してナースコールを作動させるための信号を出力する。なお、ナースコール用ボタン接続コネクタ４０は、要介護者がナースコール用ボタンを押圧できる状態にある場合にナースコール用ボタンと接続する。
【００２４】
また、移動検出装置本体２の検出用回路２ａは、前記制御を行う場合（ナースコールシステムを作動させる場合）と、行わない場合（ナースコールシステムを作動させない場合）とを切り替える切替手段を有する。この切替手段は、この実施の形態において２４時間タイマー６を用いる。
【００２５】
すなわち、２４時間タイマー６は内部に設定された時間だけ検出用回路２ａを接続状態とする切替ＳＷを有している。この２切替ＳＷは、検出用回路２ａに設けられた端子に接続している。そして、２４時間タイマー６により、ナースコールシステムの作動時間を設定することで、切替ＳＷは、作動／不作動の切替を行う。
【００２６】
［ナースコールシステムの作用］
この実施の形態にかかるナースコールシステムを特別養護老人ホームの要介護者の部屋に約６ヶ月設置して、その有用性と要介護者と介護者に与える影響を検討した。
このフレネルレンズ付き赤外線センサ３は、図３の配置平面図に示すように、要介護者がセンサの視野領域（レンズ視野角２．５°の領域）Ｅを通過すると、フレネルレンズ付き赤外線センサ３がその通貨を検出し、その検知信号を移動検出装置本体２に通知する。移動検出装置本体２は、ナースコール端子４に対し、部屋外部に設置されたナースコール７を作動させるための制御を行い、ナースコール７により要介護者の移動状態を音や光で報知させる。
【００２７】
要介護者はスイッチ類の操作ができないために、消灯後の明かりは室内灯のみである。そこで、室内灯の明るさで、センサ本体が作動するように、フレネルレンズ付き赤外線センサ３の感度を調整した。
【００２８】
図５は、取り付け後１０日間でのナースコールが鳴った回数と、鳴った時の要介護者の状態をグラフに表したものである。その結果、全２８回中、入眠中に鳴った４回を除けば、全てフレネルレンズ付き赤外線センサ３の視野に要介護者の足が入った状態であった。
【００２９】
また、この実施の形態にかかるナースコールシステム取り付け当初は、排尿のために深夜（０時〜午前４時）にベット８から離れることがあったが、深夜ベット８から離れてもナースコールにより介護者が来てくれるといった安心感から、(1) 睡眠が十分にとれるようになり、(2) 深夜のナースコールも少なくなり、(3) 生活リズムが正常に戻り、(4) 表情が明るくなり活動的になる、といった効果も得られた。
【００３０】
図６は、この実施の形態にかかるナースコールシステムを導入する前と、導入した後の事故発生件数を日勤帯と夜間帯に分けてグラフに表したものである。このグラフによれば、導入後の夜間帯の事故件数が、導入前に比して激減していることがわかる。
【００３１】
以上説明したように、この実施の形態にかかるナースコールシステムは、簡単な構成であり、装置自体や維持費も安価であるといった効果が得られる。従って、特別養護老人ホームや医療施設では非常に有用である。更に、要介護者に有益であるばかりではなく、介護者の負担も軽減され、介護方法の改善にも役立つと考えられる。
【００３２】
また、この実施の形態において、ナースコール端子４をナースコールボタンと並列に接続しているので、ナースコールボタンを使用できる要介護者の場合は、移動検出制御を行わないように切り替えることもできる。
【００３３】
［別の実施の形態］
前述の実施の形態では、フレネルレンズ付き赤外線センサ３を壁９に設置した場合で説明したが、別の実施の形態としてフレネルレンズ付き赤外線センサ３をベット８側に設置してもよい。
すなわち、別の実施の形態にかかるナースコールシステムは、図４に示すように、フレネルレンズ付き赤外線センサ３ａを取り付けるセンサ取付部材１１をベッド８の側壁に設けている。
【００３４】
センサ取付部材１１は、フレネルレンズ付き赤外線センサ３ａを取り付ける取付板１１ａと、ベット８側に固定され取付板１１ａを可動自在に支える保持部材１１ｂと、で構成される。そして、センサ取付部材１１は、フレネルレンズ付き赤外線センサ３ａの視野領域が要介護者の移動を検出する位置と、フレネルレンズ付き赤外線センサ３ａがベット８の側壁に沿って収装される位置と、の間を可動自在に設けられている。
【００３５】
この構成により、ベット８が壁９から離れた位置にあっても、フレネルレンズ付き赤外線センサ３ａの視野領域を有効に機能させることができる。そして、フレネルレンズ付き赤外線センサ３を機能させないときは、ベット８の側壁に沿って収装することで、センサ取付部材１１が要介護者の歩行の邪魔にならないようにすることができる。
【００３６】
また、前述の実施の形態では、切替手段として２４時間タイマー６を用いた場合で説明したが、切替手段は、移動検出装置本体２の作動／不作動を切り替える機能があればよく、例えば、トグルスイッチを移動検出装置本体２の検出用回路２ａに設けられた端子に接続し、手動によりＯＮ／ＯＦＦを切り替えてもよい。
【図面の簡単な説明】
【００３７】
【図１】本発明のナースコールシステムのブロック図である。
【図２】本発明のナースコールシステムの概略配置図である。
【図３】本発明のナースコールシステムの平面配置図である。
【図４】別の実施の形態のナースコールシステムの平面配置図である。
【図５】取り付け後１０日間でのナースコールが鳴った回数と、鳴った時の要介護者の状態をグラフに表した図である。
【図６】ナースコールシステムを導入する前と、導入した後の事故発生件数を日勤帯と夜間帯に分けてグラフに表した図である。
【符号の説明】
【００３８】
１  ナースコールシステム
２  移動検出装置本体
３  移動検出センサ（フレネルレンズ付き赤外線センサ）
４  ナースコール端子（ナースコール接続用コネクタ）
５  電源
６  切替手段（２４時間タイマー）
７  ナースコール
８  ベット
９  壁
１１  センサ取付部材
Ｅ  視野領域
【図１】
2005301491.tif 000003
【図２】
2005301491.tif 000004
【図３】
2005301491.tif 000005
【図４】
2005301491.tif 000006
【図５】
2005301491.tif 000007
【図６】
2005301491.tif 000008